【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
基地局によって、ワイドエリアネットワーク（ＷＡＮ）周波数ホッピングスキームを識別すること、ここにおいて、前記ＷＡＮ周波数ホッピングスキームは、ハイブリッド自動再送要求（ＨＡＲＱ）プロセスのあらゆる他の送信のために物理ダウンリンク制御チャネル（ＰＤＣＣＨ）を介してシグナリングされた固定オフセットを備える、と、
少なくとも１つのデバイスツーデバイス（Ｄ２Ｄ）対応ユーザ機器（ＵＥ）のためのＤ２Ｄ周波数ホッピングスキームを前記識別されたＷＡＮ周波数ホッピングスキームと協調させることと、
前記少なくとも１つのＤ２Ｄ対応ＵＥに前記Ｄ２Ｄ周波数ホッピングスキームを通信することと
を備える、ワイヤレス通信の方法。
【請求項２】
前記Ｄ２Ｄ周波数ホッピングスキームを前記ＷＡＮ周波数ホッピングスキームと協調させることは、
前記ＷＡＮ周波数ホッピングスキームとの干渉を低減するように前記Ｄ２Ｄ周波数ホッピングスキームを構成することを備える、
請求項１に記載の方法。
【請求項３】
前記Ｄ２Ｄ周波数ホッピングスキームを前記ＷＡＮ周波数ホッピングスキームと協調させることは、
偶数送信のために第１のオフセットを利用すること、ここにおいて、各偶数送信は、第１の送信から偶数個のサブフレーム後に送信される、と、
奇数送信のために第２のオフセットを利用すること、ここにおいて、各奇数送信は、前記第１の送信から奇数個のサブフレーム後に送信される、と
を備える、請求項１に記載の方法。
【請求項４】
前記第２のオフセットは、０に設定される、
請求項３に記載の方法。
【請求項５】
前記少なくとも１つのＤ２Ｄ対応ＵＥに前記Ｄ２Ｄ周波数ホッピングスキームを通信することは、
前記ＰＤＣＣＨを介して、前記第１のオフセット、または前記第２のオフセットのうちの少なくとも１つ、あるいはその両方を送信することを備える、
請求項３に記載の方法。
【請求項６】
前記固定オフセット、または前記第１のオフセット、または前記第２のオフセット、またはそれらの組合せのうちの少なくとも１つが、いくつかのリソースブロックを備える、
請求項３に記載の方法。
【請求項７】
Ｄ２Ｄ通信に固有のリソースのセットを識別することをさらに備え、前記Ｄ２Ｄ周波数ホッピングスキームは、リソースの前記識別されたセットに少なくとも部分的に基づく、
請求項１に記載の方法。
【請求項８】
前記ＷＡＮ周波数ホッピングスキームは、セル固有ホッピングおよびミラーリングスキームを備え、
前記Ｄ２Ｄ周波数ホッピングスキームを前記ＷＡＮ周波数ホッピングスキームと前記協調させることは、
前記基地局のセル識別情報（ＩＤ）を前記Ｄ２Ｄ周波数ホッピングスキームに関連付けることを備える、
請求項１に記載の方法。
【請求項９】
前記少なくとも１つのＤ２Ｄ対応ＵＥに前記Ｄ２Ｄ周波数ホッピングスキームを通信することは、
スケジューリング割当てを送信するための第１のリソースを指定するＤ２Ｄスケジューリング許可を前記少なくとも１つのＤ２Ｄ対応ＵＥに送信すること、または
前記ＰＤＣＣＨを介して前記少なくとも１つのＤ２Ｄ対応ＵＥにＤ２Ｄスケジューリング許可を送信すること
を備え、前記Ｄ２Ｄスケジューリング許可は、
第２のＤ２Ｄ対応ＵＥに前記セルＩＤを送信するように前記Ｄ２Ｄ対応ＵＥに命令する命令を備え、前記第２のＤ２Ｄ対応ＵＥは、前記セルＩＤに関連付けられず、第１のリソースは、前記セルＩＤを暗黙的に示す、
請求項８に記載の方法。
【請求項１０】
前記ＷＡＮ周波数ホッピングスキームは、セル固有ホッピングおよびミラーリングスキームを備え、
前記Ｄ２Ｄ周波数ホッピングスキームを前記ＷＡＮ周波数ホッピングスキームと協調させることは、
前記ＷＡＮ周波数ホッピングスキームのためのリソースに基づいて前記Ｄ２Ｄ周波数ホッピングスキームのためのリソースのサブセットを決定することを備える、
請求項１に記載の方法。
【請求項１１】
前記少なくとも１つのＤ２Ｄ対応ＵＥに前記Ｄ２Ｄ周波数ホッピングスキームを通信することは、
前記少なくとも１つのＤ２Ｄ対応ＵＥに前記Ｄ２Ｄ周波数ホッピングスキームのためのリソースの前記サブセットのインジケーションを送信することを備え、
リソースの前記サブセットの前記インジケーションは、低リソースブロックしきい値または高リソースブロックしきい値、あるいはその両方を備える、
請求項１０に記載の方法。
【請求項１２】
前記ＷＡＮ周波数ホッピングスキームは、アップリンク送信に適用される、
請求項１に記載の方法。
【請求項１３】
デバイスツーデバイス（Ｄ２Ｄ）対応ユーザ機器（ＵＥ）によって、ワイドエリアネットワーク（ＷＡＮ）に関連付けられた基地局からＤ２Ｄ周波数ホッピングスキームを受信すること、ここにおいて、前記Ｄ２Ｄ周波数ホッピングスキームは、ＷＡＮ周波数ホッピングスキームと協調させられ、前記ＷＡＮ周波数ホッピングスキームは、ハイブリッド自動再送要求（ＨＡＲＱ）プロセスのあらゆる他の送信のために物理ダウンリンク制御チャネル（ＰＤＣＣＨ）を介してシグナリングされた固定オフセットを備える、と、
前記Ｄ２Ｄ周波数ホッピングスキームに従って第２のＤ２Ｄ対応ＵＥに少なくとも１つのＤ２Ｄメッセージを送信することと
を備える、ワイヤレス通信の方法。
【請求項１４】
前記少なくとも１つのメッセージは、スケジューリング割当てを備える、
請求項１３に記載の方法。
【請求項１５】
前記Ｄ２Ｄ周波数ホッピングスキームは、偶数送信のために適用されるべき第１のオフセットを備え、各偶数送信は、第１の送信から偶数個のサブフレーム後に送信され、前記Ｄ２Ｄ周波数ホッピングスキームは、奇数送信のために適用されるべき第２のオフセットをさらに備え、各奇数送信は、前記第１の送信から奇数個のサブフレーム後に送信される、
請求項１３に記載の方法。
【請求項１６】
前記ＷＡＮ周波数ホッピングスキームは、セル固有ホッピングおよびミラーリングスキームを備え、
前記Ｄ２Ｄ周波数ホッピングスキームは、セル識別情報（ＩＤ）に関連付けられ、前記セルＩＤは、前記ＷＡＮ周波数ホッピングスキームにさらに関連付けられ、
前記方法は、
前記ＷＡＮ周波数ホッピングスキームに基づいて前記少なくとも１つのＤ２Ｄメッセージを送信するためのリソースを決定することと、
第１のリソース上で前記少なくとも１つのＤ２Ｄメッセージを送信することと
をさらに備え、前記第１のリソースは、前記セルＩＤを暗黙的に示す、
請求項１３に記載の方法。
【請求項１７】
前記ＷＡＮ周波数ホッピングスキームは、セル固有ホッピングおよびミラーリングスキームを備え、
前記Ｄ２Ｄ周波数ホッピングスキームは、低リソースブロックしきい値または高リソースブロックしきい値をさらに備え、
前記方法は、
前記低リソースブロックしきい値または前記高リソースブロックしきい値に基づいて前記少なくとも１つのＤ２Ｄメッセージを送信するためのリソースを決定することをさらに備える、
請求項１３に記載の方法。
【請求項１８】
基地局であって、
ワイドエリアネットワーク（ＷＡＮ）周波数ホッピングスキームを識別するためのＷＡＮ周波数ホッピングモジュール、ここにおいて、前記ＷＡＮ周波数ホッピングスキームは、ハイブリッド自動再送要求（ＨＡＲＱ）プロセスのあらゆる他の送信のために物理ダウンリンク制御チャネル（ＰＤＣＣＨ）を介してシグナリングされた固定オフセットを備える、と、
少なくとも１つのデバイスツーデバイス（Ｄ２Ｄ）対応ユーザ機器（ＵＥ）のためのＤ２Ｄ周波数ホッピングスキームを前記識別されたＷＡＮ周波数ホッピングスキームと協調させるためのＤ２Ｄ周波数ホッピングモジュールと、
前記少なくとも１つのＤ２Ｄ対応ＵＥに前記Ｄ２Ｄ周波数ホッピングスキームを通信するための送信機と
を備える、基地局。
【請求項１９】
ユーザ機器（ＵＥ）であって、
ワイドエリアネットワーク（ＷＡＮ）に関連付けられた基地局からデバイスツーデバイス（Ｄ２Ｄ）周波数ホッピングスキームを受信するためのＤ２Ｄ周波数ホッピング決定モジュール、前記Ｄ２Ｄ周波数ホッピングスキームは、ＷＡＮ周波数ホッピングスキームと協調させられ、前記ＷＡＮ周波数ホッピングスキームは、ハイブリッド自動再送要求（ＨＡＲＱ）プロセスのあらゆる他の送信のために物理ダウンリンク制御チャネル（ＰＤＣＣＨ）を介してシグナリングされた固定オフセットを備える、る、と、
前記Ｄ２Ｄ周波数ホッピングスキームに従って第２のＤ２Ｄ対応ＵＥに少なくとも１つのメッセージを送信するための送信機と
を備える、ＵＥ。